(57)【要約】【課題】本発明は、水槽の振動が筐体に伝わリ難く、洗濯物の出し入れに際して洗濯物が筐体内に落ち難いドラム式洗濯機を提供することを目的とする。【解決手段】本発明は、洗濯機の筐体に横向きに内置される水槽と、この水槽内に回転可能に設けられるとともに洗濯物を収容する洗濯槽と、この洗濯槽を回転駆動するモータと、前記筐体の前側に設けられ、洗濯物が出し入れされる第１の開口部と、前記筐体に設けられ、前記第１の開口部を開け閉めする第１の扉と、前記第１の開口部に向けて前記水槽の前側に設けられ、洗濯物が出し入れされる第２の開口部と、前記水槽に設けられ、前記第２の開口部を開け閉めする第２の扉とを有するドラム式洗濯機において、前記第１の開口部より大きさが小さな前記第２の開口部は、少なくとも下部が前記第１の開口部の下部より前方に出ていることを特徴とする。【選択図】図１
2007229219.tif 000002
【特許請求の範囲】
【請求項１】
洗濯機の筐体に横向きに内置される水槽と、
この水槽内に回転可能に設けられるとともに洗濯物を収容する洗濯槽と、
この洗濯槽を回転駆動するモータと、
前記筐体の前側に設けられ、洗濯物が出し入れされる第１の開口部と、
前記筐体に設けられ、前記第１の開口部を開け閉めする第１の扉と、
前記第１の開口部に向けて前記水槽の前側に設けられ、洗濯物が出し入れされる第２の開口部と、
前記水槽に設けられ、前記第２の開口部を開け閉めする第２の扉とを有するドラム式洗濯機において、
前記第１の開口部より大きさが小さな前記第２の開口部は、少なくとも下部が前記第１の開口部の下部より前方に出ていることを特徴とするドラム式洗濯機。
【請求項２】
請求項１記載のドラム式洗濯機において、
前記第２の開口部の向きは、前記洗濯槽の回転軸心に対して上向きであることを特徴とするドラム式洗濯機。
【請求項３】
洗濯機の筐体に横向きに内置される水槽と、
この水槽内に回転可能に設けられるとともに洗濯物を収容する洗濯槽と、
この洗濯槽を回転駆動するモータと、
前記筐体の前側に設けられ、洗濯物が出し入れされる第１の開口部と、
前記筐体に設けられ、前記第１の開口部を開け閉めする第１の扉と、
前記第１の開口部に向けて前記水槽の前側に設けられ、洗濯物が出し入れされる第２の開口部と、
前記水槽に設けられ、前記第２の開口部を開け閉めする第２の扉とを有するドラム式洗濯機において、
前記水槽を前後に移動させる前後移動手段を設け、
洗濯運転に際して前記水槽を後方に後退させ、洗濯物の出し入れに際して前記水槽を前方に移動さえることを特徴とするドラム式洗濯機。
【発明の詳細な説明】
【技術分野】
【０００１】
本発明は、洗濯物の出し入れに際し、洗濯物が洗濯機の筐体内に落ち難いドラム式洗濯機に関する。
【背景技術】
【０００２】
一般的なドラム式洗濯機は、洗濯機の筐体内で弾性支持された水槽と、この水槽内で回転軸が水平に対して０〜３０°程度傾斜して回転可能に設けられた洗濯槽と、水槽の後部に設けられ、この洗濯槽を回転駆動するモータと、筐体の前面に設けられた洗濯物の出し入れ開口部を有する。
【０００３】
このドラム式洗濯機は、洗濯物の衣類を洗濯槽中に収容し、洗濯槽を回転させることで洗濯および脱水を行っている。
【０００４】
衣類を洗濯槽内に収容するために、筐体前面の開口部にあわせて、水槽および洗濯槽の前面にも開口部が設けられている。
【０００５】
一般的なドラム式洗濯機の場合、洗濯時に水を貯めて洗濯するので、水が開口部より漏れないように、水槽の開口部と筐体の開口部を蛇腹状のゴム質のパッキンで連結し、開口部には扉を設け、水密的に塞いでいる。
【０００６】
このような構成の場合、洗濯時および脱水時の水槽の振動がパッキンを通して伝わり、筐体を振動させてしまう。そこで、下記特許文献１のようなパッキンで水槽の開口部と筐体の開口部を連結させずに、水槽の開口部にも水密に塞ぐ別の扉を設ける構成が提案されている。
【０００７】
【特許文献１】特開２００５−９５５６２号公報
【発明の開示】
【発明が解決しようとする課題】
【０００８】
特許文献１のようなドラム式洗濯機の場合、筐体と水槽は連結されていないので、筐体と水槽の間には隙間がある。洗濯物の衣類を出し入れするときに、衣類等がこの隙間に落ちてしまう可能性がある。このような衣類の落下を防止するために、この隙間を埋めてしまうと、先にも述べたように洗濯時および脱水時に水槽の振動が筐体に伝わりやすくなり、振動および騒音を増大させてしまう。
【０００９】
このような課題に対処し、水槽の振動が筐体に伝わリ難く、洗濯物の出し入れに際して洗濯物が筐体内に落ち難いドラム式洗濯機を提供することを目的とする。
【課題を解決するための手段】
【００１０】
本発明は、洗濯機の筐体に横向きに内置される水槽と、この水槽内に回転可能に設けられるとともに洗濯物を収容する洗濯槽と、この洗濯槽を回転駆動するモータと、前記筐体の前側に設けられ、洗濯物が出し入れされる第１の開口部と、前記筐体に設けられ、前記第１の開口部を開け閉めする第１の扉と、前記第１の開口部に向けて前記水槽の前側に設けられ、洗濯物が出し入れされる第２の開口部と、前記水槽に設けられ、前記第２の開口部を開け閉めする第２の扉とを有するドラム式洗濯機において、前記第１の開口部より大きさが小さな前記第２の開口部は、少なくとも下部が前記第１の開口部の下部より前方に出ていることを特徴とする。
【００１１】
このようにすることで、衣類の出し入れの際に水槽に設けた第２の開口部より衣類が落下しても、筐体と水槽の隙間に落下することなく、筐体の外側に落下するようになる。筐体の外側に落下すれば容易に拾うことができる。また、筐体と水槽の隙間により、水槽から筐体と伝わる振動を抑えることができる。
【００１２】
さらに、本発明は、前記第２の開口部の向きを前記洗濯槽の回転軸心に対して上向きにしたことを特徴とする。
【００１３】
このようにすることで、水槽に設けた第２の開口部の下部は上部に比べて、前に出るようになる。このため、第２の開口部の下端を第１の開口部の下端より前に出すことが可能となり、洗濯物の落下の防止になる。
【００１４】
また、本発明は、前記水槽を前後に移動させる前後移動手段を設け、洗濯運転に際して前記水槽を後方に後退させ、洗濯物の出し入れに際して前記水槽を前方に移動さえることを特徴とする。
【００１５】
このようにすることで、洗濯物の出し入れ時において、水槽に設けた第２の開口部を筐体に設けた第１の開口部より前方に位置させることができる。また第１の開口部と第２の開口部の間の隙間を狭くする、もしくは隙間をなくすことができ、洗濯物の筐体内部への落下を防止することができる。
【発明の効果】
【００１６】
本発明によれば、水槽の振動が筐体に伝わリ難く、洗濯物の出し入れに際して洗濯物が筐体内に落ち難いドラム式洗濯機を提供することができる。
【発明を実施するための最良の形態】
【００１７】
以下に本発明の実施例について、図面を引用して詳しく説明する。
【実施例１】
【００１８】
本発明の第１の実施例について、図１、図２、図３、図４を用いて説明する。
【００１９】
図１は本実施例のドラム式洗濯機の内部を示す側面図である。また、図２は本実施例のドラム式洗濯機の外観図であり、図３は図２のドラム式洗濯機の筐体の扉を開けた状態を示す外観図であり、図４は図２のドラム式洗濯機の外槽の扉を開けた状態を示す外観図である。
【００２０】
この発明は、ドラム式洗濯機に限らず、ドラム式洗濯乾燥機にも適用可能である。
【００２１】
洗濯機の筐体１の前面には、操作パネル１０および洗濯物を出し入れする開口部があり、その開口部を開閉する扉２が筐体１に設けられている。
【００２２】
筐体１の前面に設けた開口部を第１の開口部と云う。この第１の開口部を開け閉めする扉２を第１の扉と云う。
【００２３】
また、筐体１の内側には、開口部側を筐体１の前側に向けた円筒状の水槽３が横向き配置される。水槽３は開口部側が水平より０〜３０°程度上向きになるように傾斜させて配置する。
【００２４】
水槽３の開口部を第２の開口部と云う。この第２の開口部は、第１の開口部の中央に向けられるように置かれる。第１の開口部は矩形の形状を有し、第２の開口部は円形の形状を有する。第１の開口部に比べ、小さな第２の開口部は、第１の開口部の中央に位置するように置かれる。
【００２５】
この水槽３の後面には、金属で作られた補強盤６が固定されている。水槽３の内側には、多数の小孔が空けられ一端が開口した円筒状の洗濯槽４が、回転可能に設けられている。
【００２６】
この洗濯槽４の前面には中空のリング形状の容器にその内容積に対して２０〜５０％程度の液体を入れた流体バランサ８が固定されている。また、洗濯槽４の後面約中心には回転軸５が締結されている。この回転軸５は補強盤６に設けたパッキンで水密にシールされ、またベアリングで回転可能に支持された状態で水槽３および補強盤６を貫通している。
【００２７】
また、補強盤６には洗濯槽４を回転駆動するモータ７が固定される。そして、洗濯槽４の回転軸５はこのモータ７の回転子に締結されている。こうして、洗濯槽４は水槽３の後部に設けられたモータ７により、水槽３内を左右どちら回りにも回転でき、洗濯槽４を回転させながら、洗い・すすぎ・脱水が行われる。
【００２８】
洗濯槽４およびモータ７が取り付けられている水槽３は、筐体１の底面から水槽３の下部へサスペンション９が取り付けられ、水槽３を弾性支持するとともに振動を抑制している。
【００２９】
筐体１の上部の後方は水槽３の傾斜に合わせて下方へ傾斜している。このようにすることで、洗濯機置き場の後方に設置される蛇口との干渉を避けることができる。また、筐体１の上部の斜面に左右に伸びる凸部１ａを設けることで、洗濯機上部に乗せたものが後ろに転がり落ちることを防止する。
【００３０】
また、筐体１の上部には、給水ユニットがあり、洗い・すすぎ時に使用する水は、筐体１の上部に設けた給水口１１、給水バルブ１２、洗剤ケース１３、蛇腹状のホース１４を通過して水槽３内部に注がれる。
【００３１】
また、洗い・すすぎ後の水および脱水時の水は、水槽３の下部に設けた排水バルブ１５および排水ホース１６を通過して排水される。
【００３２】
前述したように水槽３の前面には第２の開口部が設けられており、水槽３に貯められた洗濯水が漏れないように第２の開口部を開閉するための第２の扉１７が設けられている。この第２の開口部にはゴム製のパッキン１８が設けられ、第２の扉１７を閉めることで、第２の扉１７をパッキン１８に押し付け水密を保つ。
【００３３】
本実施例のドラム式洗濯機は、従来のドラム式洗濯機のように筐体１の前面に設けた第２の開口部と、水槽３の前面に設けた第２の開口部が蛇腹状のゴム質のパッキンでつながれていないドラム式洗濯機である。この蛇腹状のパッキンをなくすことで、水槽３の振動が筐体１に伝わりにくくなり、洗濯機の振動が低減される。
【００３４】
しかし、この蛇腹状のゴムのパッキンがないことで、洗濯物の出し入れの際に水槽３から筐体１内へ洗濯物の衣類が落ちることが懸念される。そこで、筐体１に設けられる第１の開口部の下部が、水槽３に設けられる第２の開口部の下部より後ろに位置する構成とし、衣類が落下しても筐体１内へ入り込むことを防ぐ。
【００３５】
まず、水槽３は前部材３ａ、後部材３ｂとに２分割されている。ここでは２分割としているが、３分割以上でもよい。水槽３を構成する前部材３ａ、後部材３ｂの接合部分には互いに鍔が設けられており、それら鍔をボルトで締め付けることで締結する。また、この接合部にはパッキンが挟み込まれており、前部材３ａ、後部材３ｂは水密に接合される。
【００３６】
また、水槽３の前部材３ａの前側は円錐状に傾斜していることが望ましい。このようにすることで、水槽３の前面上部と筐体１の隙間をより確保しやすくなる。
【００３７】
このような水槽３の前部材３ａの前面には、さらに前方に突き出した突き出し部３３が設けられている。この突き出し部３３は前部材３ａの外径より細い径で、水槽３の前部材３ａに一体で形成されている。
【００３８】
また、突き出し部３３は洗濯槽４の回転軸心線に沿って突き出さずに、より上方を向くように突き出されている。
【００３９】
よって、突き出し部３３は、その下部は上部より大きく前に突き出す格好となる。この突き出し部３３の前面に衣類の開口部となる第２の開口部が設けられている。このような構造により、第２の開口部を上方に向けることができ、操作者から水槽３の内部が覗きやすくなり、衣類の取り出しが容易になる。
【００４０】
また、第２の開口部の下部が上部より前に出ていることで、衣類が落下しても、第２の開口部の下部が衣類を受けることができ、落下防止になる。
【００４１】
また、本実施例の突き出し部３３は、洗濯槽３の前面中央から突き出しているが、中央から突き出さずに、中央より上方の位置から突き出してもよい。
【００４２】
また、本実施例の突き出し部３３は円形であるが、四角形でも半月状でもよい。
【００４３】
この水槽３の前部材３ａおよび突き出し部３３を覆うように化粧板２１が設けられている。化粧板２１は水槽前部３ａにねじで固定されている。この化粧板２１は成形が容易である樹脂製で作られているが、金属でも良い。
【００４４】
この化粧板２１は、洗濯機の前面から見るとほぼ四角形であり、その４つ角は直角でなく丸められている。化粧板２１は筐体１の第１の開口部より一回り大きく、洗濯機の正面から洗濯機の内部が容易に見えないように設けられている。この化粧板２１は平らな板ではなく、突き出し部３３の下端より上方の位置で、一段後方に下げられた形状となっている。
【００４５】
ただし、この後方に下げられた部分においても、突き出し部３３を覆うように、その部分だけ突き出し部３３に合わせて、突き出している。また化粧板２１は、水槽３の第２の開口部に対応した部分に同様な大きさの開口部が設けられている。
【００４６】
また、開口部の上部は水槽３の前部材３ａに取り付けられるように、水槽３の前部材３ａに合わせて曲げられる。この化粧板２１に水槽３の第２の開口部をふさぐ扉１７が取り付けられている。
【００４７】
この扉１７はヒンジ２０で化粧板２１に開閉可能に取り付けられる。このヒンジ２０は第２の開口部の横に設けられ、扉１７は横に開く。扉１７は水槽３にもうけた第２の開口部より一回り小さい凸部をなす裏部１７ａと第２の開口部より一回り大きい表部１７ｂで構成される。
【００４８】
裏部１７ａはガラスで、表部１７ｂは樹脂で構成され、裏部１７ａは表部１７ｂのふちで固定される。表部１７ｂと裏部１７ａはふちで接続されているが、中央付近は隙間が設けられ、中空になっている。裏部１７ａの凸部が水槽３の第２の開口部に嵌まり、第２の開口部に設けられたパッキン１８を押し広げて水密に閉じる。
【００４９】
また、扉１７にはロック機構が設けられ、運転中には扉は開かないようにロックされる。また、扉１７の表部１７ａはなくてもかまわない。
【００５０】
次に筐体１について更に説明を加える。
【００５１】
筐体１を横から見るとその前面は後方へ傾斜している。この傾斜は突き出し部の傾斜に沿って作られている。この前面には略四角形の第１の開口部が設けられている。また、前面の下方部分については、先に述べた傾斜で前に伸びずに、筐体１に設けた第２の開口部の下端付近から後方へと曲げられる。
【００５２】
この前面には第２の開口部より一回り大きい扉２が前面の裏側に設けられ、第２の開口部をふさぐことができる。筐体１は、前面の裏側の左右両端にはレール２３を有し、扉２の左右の両端にはレール２３に挟まれた可動子が設けられ、そのレール２３に沿って、扉２は上下にスライドする。
【００５３】
扉２の上部には取っ手１９が設けられ、扉２を下方に下げることで扉２を開けることができる。また、扉２は筐体１内の上部よりばねで引っ張られており、勢いよく扉２が下方に開くことを防いでいる。また、扉２の上部にはロック機構が設けられており、運転時には扉２は閉じた状態でロックされる。
【００５４】
筐体１に設けられた第２の開口部の下端部は後方に向かって伸びており、受け皿部２２を構成する。受け皿部２２はレール２３より内側に設けられ、扉２の開閉に支障がないように設置される。受け皿部２２は第２の開口部の下端部とほぼ同じ高さから略水平もしくは若干後ろを上に向けて筐体１の内側に伸び、水槽３の突き出し部３３の下に位置する。
【００５５】
受け皿部２２の先端は下方に曲げられ、その曲げられた部分には水槽３の衝突を緩和するために、緩衝材２４が貼り付けられている。このように、水槽３に突き出し部３３を設け、その突き出し部３３の下方に受け皿２２を設けることで、衣類等の洗濯機内への落下を防ぐことができる。
【００５６】
言い換えると、受け皿部２２は、第１の開口部（筐体の前面開口部）の下端部を構成している。第１の開口部の下端部を構成する受け皿部２２が、略水平もしくは若干後ろ上がりに筐体１の内方に延びているので、第２の開口部（水槽３の前側開口）の下端部が第１の開口部の下端部より前側に出るようになる。このため、第１の開口部の下端部と、第２の開口部の下端部との隙間から洗濯物の衣類が筐体１内に落下することはない。
【００５７】
また、受け皿部２２の左右の両端は、上方に曲げられ、開口部側面もふさぐようにする。この曲げ部は水槽３に取り付けた化粧板２１に沿った形状とする。また、本実施例では受け皿部２２は平らであるが、開口部の下端部の形状に合わせて、作られるのが望ましい。
【００５８】
また、扉２を下げ、水槽の扉１７を開けて衣類を出し入れするときに、扉２をスライドさせるためのレール２３がある。そのため、扉２と筐体１の前面および受け皿部２２との間にレール２３の厚み分の隙間が生じ、その隙間も埋める必要がある。
【００５９】
そのために、扉２の上部は前後方向に広がっており、扉２を開けた時にできる隙間を覆う。扉２の上部の前側は筐体１の前面より前まで伸びている。また、扉２の上部の後側は受け皿部２２に差し掛かるまで伸ばされている。また、扉２の上部の前面に突き出した部分は取っ手１９を兼ねている。
【００６０】
このように、水槽３の開口部を前に突き出し、その下方に筐体１の一部である受け皿部２２を設けることで、衣類の出し入れ時に衣類およびそれに付随する小物が落下し、筐体１内に入り込むのを防ぐ構造とする。
【実施例２】
【００６１】
次に第２の実施例について、図５を引用して説明する。
【００６２】
図５は本実施例のドラム式洗濯機の斜視図である。
【００６３】
この第２の実施例は、前述した第１の実施例と同様に蛇腹状のゴムで筐体と水槽がつながれていないフロントローディングタイプのドラム式洗濯機である。
【００６４】
また、基本的な構成は先述した第１の実施例とほぼ同じであり、同じ部品は同じ符号で示す。また、第１の実施例と同じ部分については説明を省略を特徴とするところを主に説明する。
【００６５】
なお、本実施例もドラム式洗濯機で説明するが、本発明の意図するところは乾燥ユニットを設けたドラム式洗濯乾燥機でも同様である。
【００６６】
第１の実施例と異なる所は、水槽３に設けた扉４４である。扉４４の上部に取っ手が取り付けられており、水槽３に設けた第２の開口部に対して扉４４は下に開く。水槽３の前面に設けられた第２の開口部をなす突き出し部３３は水槽３の前面より傾斜を大きくして前に突き出している。
【００６７】
突き出し部３３は略円形で突き出されているが、その下部は円弧ではなく、略水平な直線となっている。またこの突き出し部３３を覆うように化粧板２１が取り付けられている。
【００６８】
この化粧板２１は第１の実施例と同様に、その上方は突き出し部３３とほぼ同じ傾斜であるが、下方は洗濯機後方へと曲げられている。この化粧板２１にも突き出し部と同じ位置に開口部が設けられ、この開口部の下部にヒンジ３５が取り付けられている。
【００６９】
このヒンジ３５の他方は扉４４の下方に取り付けられ、扉４４が下に開く構造となる。また、このヒンジ３５にはばねが併設されており、扉４４の自重で扉４４が勢いよく開いてしまわないようになっている。また、緩衝材が取り付けられ、勢いよく開くのを抑制する。
【００７０】
このように２枚目の扉４４を下開きにすることで、衣類の出し入れ時に衣類およびそれに付随するものが落下しても、扉４４がそれらを受け止めることができ、筐体１内への落下を更に防ぐことができる。また、ヒンジ３５を下に配置することで、第２の開口部の幅を第１の実施例に示す第２の開口部に比べ広くすることができ、衣類の出し入れが容易になる。
【００７１】
本実施例は第１の実施例と同様に水槽３前面に設けられた第２の開口部をなす突き出し部３３は水槽３の前面より傾斜を大きくして前に突き出しているが、傾斜を変えずに突き出してもかまわない。また、特に突き出し部を設けなくても良い。
【００７２】
このように水槽３に設けたドア４４で水槽３の第２の開口部の下部を構成することにより、水槽３の第２の開口部が筐体１に設けた第１の開口部より前方に位置することができ、衣類の出し入れの際に筐体１内へ落下することを更に防ぐことができる。
【実施例３】
【００７３】
次に第３の実施例について、図６，図７を用いて説明する。
【００７４】
図６、図７は本実施例のドラム式洗濯機の内部を示す側面図である。第１の実施例と同様に蛇腹状のゴム質のパッキンで筐体と水槽がつながれていないフロントローディングタイプのドラム式洗濯機である。
【００７５】
また、基本的な構成は先述した第１の実施例とほぼ同じであり、同じ部品は同じ符号で示す。また、第一の実施例と同じ部分については説明を省略し、特徴とするところを主に説明する。
【００７６】
なお、本実施例もドラム式洗濯機で説明するが、本発明の意図するところは乾燥ユニットを設けたドラム式洗濯乾燥機でも同様である。
【００７７】
本実施例のドラム式洗濯機は、衣類の出し入れの時に、水槽が前に移動し、筐体１と水槽３の隙間を狭める。もしくはその隙間をなくすというものである。図６は洗濯・脱水・乾燥時の洗濯機内部の様子を示す図であり、図７は洗濯が終了し、衣類を出し入れする時の洗濯機内部の様子を示す図である。
【００７８】
図６、図７において、水槽３は複数本のばね６１で筐体１の上部から支持されている。また、水槽３は筐体１の下部より複数本のダンパ６２で振動が抑制される。これらのダンパ６２は水槽３が前後に移動しやすいように、左右方向からボルト６２で取り付けられている。
【００７９】
具体的にはダンパ６２の両端はボルト６３を通すための穴が、ダンパ長手方向に対して垂直に空けられている。水槽３下部および筐体１の下部にはダンパ６２の端部を左右方向から挟み込むためのブラケットが取り付けられている。
【００８０】
このブラケットにダンパ６２を差込み、左右方向からボルト６３とナットで締めるようにする。本実施例ではダンパ６２の両端とも左右方向からボルト６３で取り付けているが、上下どちらか一端だけ左右方向から取り付け、他端は前後方向から取り付けてもよい。
【００８１】
また、本実施例ではダンパの両端ともこのようなボルト６３を通すタイプになっているが、片側だけこのタイプにして、もう一方はダンパ長手方向にボルトが取り付けられており、ブッシュを介在させて水槽３もしくは筐体１にナットで締め付けるように取り付けてもよい。
【００８２】
つぎに、本実施例のドラム式洗濯機は水槽を前方に移動させる前後移動手段を有している。
【００８３】
この前後移動手段の動力として洗濯機の下部にモータ６５が設けられている。このモータ６５にはプーリー６６が取り付けられ、そのプーリー６６にはワイヤー６７が巻き付けられている。
【００８４】
ワイヤー６７はばね６８を介して水槽３の下部後方を引っ張るように取り付けられる。ばね６８がないと、ワイヤー６７が突っ張った状態で、洗濯、脱水を行うことになり、水槽３がスムーズに振動できなく、過大な振動を発生させてしまう。
【００８５】
また、筐体１に固定したローラー６９をワイヤー６７の経路に置くことで、任意の方向に引っ張ることができる。本実施例の場合、モータ６５を筐体１の底部に固定するため、水槽３の下部を直接引っ張るワイヤー６７は斜め下方に引っ張るようになり、水槽３を上下方向に引っ張る力が大きく発生する。
【００８６】
水槽３を上下に移動させるには水槽３を支持しているばね６１を変形させることになり、大きな力が必要になる。できるだけ小さな力で、水槽３を前に引き寄せるために、引っ張る方向を略水平にすることが有効であり、ローラー６９をワイヤー６７が水平になるように筐体３に設置する。
【００８７】
また、ばね６８が完全に伸びきらないように、ワイヤー６７の途中にストッパ７０、７１を設ける。ストッパ７０はワイヤー６７の一部分を太くする部品であり、ストッパ７１はワイヤー６７を通すことができる程度の穴が空けられた板で、ローラー６９付近に固定されている。
【００８８】
ワイヤー６７を引っ張りすぎると、ストッパ７０はストッパ７１のところを通れずに、これ以上引っ張ることができないようになり、ばね６８が伸びきることを防ぐことができる。
【００８９】
次に、筐体１の前方上部の内側には、後方へ向かう凸状の水槽上部あて部７２が設けてある。水槽上部あて部７２の表面はウレタンゴムのように水槽３および筐体１よりやわらかい部材でできており、水槽３の衝突を緩和する。
【００９０】
また、水槽上部あて部７２は１箇所でも良いが、ほぼ同じ高さで、筐体３の左右に分けて設けることが望ましい。また逆に、接触する側と接触される側を変えて、筐体１ではなく水槽３の前面に凸状のあて部を設け、この凸状のあて部が筐体１の前面の裏面に当てるようにしても良い。
【００９１】
また、筐体１の前方下部の内側にも、後方へ向かう凸状の水槽下部あて部７３を設ける。水槽３を前方に移動させたときに、水槽３の前面下部が筐体１の内側にあたるような位置に設けられている。
【００９２】
この水槽の下部あて部７３は前記水槽上部あて部７２より前方に位置させる。このようにすることで水槽３が前方に引き寄せられるときに、水槽下部あて部７３より、水槽上部あて部７２が先に接触する。
【００９３】
また、水槽下部あて部７３には接触センサ７４が設けてある。水槽３を引き寄せ、水槽下部あて部７３に接触し、接触センサ７４が感知したら、モータ６５の回転を止めることで、水槽３を引っ張りすぎることを防止する。
【００９４】
本実施例のドラム式洗濯機は、洗濯が完了した後、水槽３はワイヤー６７で引っ張られて前方に移動し、まず水槽３の上部が水槽上部あて部７２に接触する。さらに、ワイヤー６７を引っ張ることで、水槽３の下部が前にさらに引き寄せられ、水槽下部あて部７３に接触し停止する。
【００９５】
この状態でモータが回転しないようにロックし、水槽３の扉１２、筐体１の扉２のドアロックを解除する。これらの扉２、扉１２を開け、衣類の出し入れを行う。水槽３が前に出ることで、水槽３の内側が見やすくなり、出し入れが容易になる。
【００９６】
また、水槽３は上部が先に接触し、その後下部がさらに前に出ることで、洗濯時よりも傾斜が大きくなり、出し入れがしやすくなる。また、水槽３の下部が筐体１に接することで、水槽３と筐体１の間に隙間がなくなり、衣類等の筐体３内への落下を防止することができる。
【００９７】
衣類の投入が完了し、扉１２，扉２を閉めて洗濯を開始するときには、まず扉２，扉１２が運転中開かないようにドアをロックする。その後モータのロックを解除して逆に回転させ、水槽を元の位置まで移動させ、洗濯を開始する。
【００９８】
このように衣類の出し入れ時に水槽３を前に引き寄せ、水槽３に設けた開口部が筐体１の開口部より前にくるようにすることで、衣類の筐体１内への落下を防止することができる。
【実施例４】
【００９９】
次に第４の実施例を図８を用いて説明する。
【０１００】
図８は本実施例のドラム式洗濯機の内部を示す側面図である。基本的な構成は先述した第３の実施例とほぼ同じであり、同じ部品は同じ符号で示す。また、第３の実施例と同じ部分については説明を省略し、特徴とするところを主に説明する。
【０１０１】
なお、本実施例もドラム式洗濯機で説明するが、本発明の意図するところは乾燥ユニットを設けたドラム式洗濯乾燥機でも同様である。
【０１０２】
本実施例は先述した実施例と異なり、筐体１と水槽３が蛇腹状のゴム質のパッキン８４でつながれている。また、水槽３を覆う化粧板２１およびドア１７がなく、筐体１に設けた扉８１とパッキン８４で洗濯時に水が漏れないようにされている。また、洗濯物が洗濯槽４から飛び出して、パッキン８４と摺れないように扉８３の裏側に凸部８３を設けている。
【０１０３】
洗濯・脱水時には図８の状態であるが、洗濯物を出し入れするときには、モータ６５が作動し、ワイヤー６７で水槽３を前に移動させる。このときには、水槽３の前面がパッキン８４を押し縮める。この状態でドア８１が開けられ、洗濯物を出し入れする。このようにすることで、洗濯槽４の中がよく見え、衣類の出し入れが容易になる。
【０１０４】
なお、本実施例は、水槽側の振動が筐体側に伝わるのを抑えるために、更に柔らかい素材でパッキンを作ることが望ましい。
【実施例５】
【０１０５】
次に第５の実施例について、図９を用いて説明する。
【０１０６】
本実施例は、第４の実施例と殆ど共通である。パッキン８４が水槽３の前面側と分離され、水槽３の第２の開口部を開け閉めする第２の扉１７を有するところが、第４の実施例と違う。
【０１０７】
洗濯物の出し入れに際し、水槽３の前面側に圧縮した状態で接するパッキン８４が、図９に示すように、洗濯運転時に水槽３の前面側から離間している。この離間により、水槽側の振動が筐体側に伝わるのを防ぐことができる。
【図面の簡単な説明】
【０１０８】
【図１】本発明の第１の実施例に係わるもので、ドラム式洗濯機の縦断面図である。
【図２】本発明の第１の実施例に係わるもので、筐体の扉を閉じた状態を示す外観図である。
【図３】本発明の第１の実施例に係わるもので、筐体の扉を開いた状態を示す外観図である。
【図４】本発明の第１の実施例に係わるもので、外槽の扉を開いた状態を示す外観図である。
【図５】本発明の第２の実施例に係わるもので、外槽の扉を開いた状態を示す外観図である。
【図６】本発明の第３の実施例に係わるもので、ドラム式洗濯機の縦断面図（洗濯／脱水の運転状態）である。
【図７】本発明の第３の実施例に係わるもので、ドラム式洗濯機の縦断面図（運転停止して洗濯物を出し入れする際）である。
【図８】本発明の第４の実施例に係わるもので、ドラム式洗濯機の縦断面図である。
【図９】本発明の第５の実施例に係わるもので、ドラム式洗濯機の縦断面図である。
【符号の説明】
【０１０９】
１…筐体、３…水槽、４…洗濯槽、７…モータ、２…第１の扉、１７…第２の扉、３３…突き出し部。
【図１】
2007229219.tif 000003
【図２】
2007229219.tif 000004
【図３】
2007229219.tif 000005
【図４】
2007229219.tif 000006
【図５】
2007229219.tif 000007
【図６】
2007229219.tif 000008
【図７】
2007229219.tif 000009
【図８】
2007229219.tif 000010
【図９】
2007229219.tif 000011